(57)【特許請求の範囲】
【請求項１】
ワイヤレス通信のための方法であって、
第１の低ノイズ増幅器（ＬＮＡ）及び第１のミキサを備える第１の受信経路を介してキャリアアグリゲーション方式において第１のコンポーネントキャリア（ＣＣ）を受信及び処理することと、ここにおいて、前記第１のＬＮＡは、前記第１のＣＣを増幅するように構成され、前記第１のミキサは、増幅された前記第１のＣＣに、第１の局部発振器（ＬＯ）経路を介して受信され、第１のＬＯ信号を生成するために出力周波数が第１の分周率で分周される第１の周波数シンセサイザによって生成された前記第１のＬＯ信号を乗じるように構成される、
前記キャリアアグリゲーション方式において第２のＣＣの受信を追加又は停止することと、前記第２のＣＣは、前記第１のＣＣとは異なる周波数を有し、
前記第２のＣＣの前記追加又は停止された受信に基づいて、
増幅された前記第１のＣＣを、前記第１のミキサによって乗じられることから、第２のＬＯ経路を介して受信され、前記第１のＬＯ信号を生成するために出力周波数が第２の分周率で分周される第２の周波数シンセサイザによって生成された前記第１のＬＯ信号が第２のミキサによって乗じられることに切り替えることと
を備え、ここにおいて、前記第２のＣＣの受信を追加することは、第２のＬＮＡ及び第３のミキサを備える第２の受信経路を介して前記第２のＣＣを受信及び処理することを備え、前記第２のＬＮＡは、前記第２のＣＣを増幅するように構成され、前記第３のミキサは、増幅された前記第２のＣＣに、第３のＬＯ経路を介して受信され、第３の周波数シンセサイザによって生成される第２のＬＯ信号を乗じるように構成され、前記第３の周波数シンセサイザの出力周波数が前記第２のＬＯ信号を生成するために第３の分周率で分周される、方法。
【請求項２】
前記第１の周波数シンセサイザは、前記第１のＣＣが唯一のコンポーネントキャリアであるとき、前記キャリアアグリゲーション方式のための全ての周波数シンセサイザの中で最も低い電流消費を有する、請求項１に記載の方法。
【請求項３】
前記再同調すること、前記変えること又は前記切り替えることのうちの最も小さいものは、
前記第１の分周率及び前記第２の分周率に並びに前記第１の周波数シンセサイザ及び前記第２の周波数シンセサイザに関連付けられた電流消費又は、
前記第１のＬＯ信号、前記第１のコンポーネントキャリア、前記第２のコンポーネントキャリア、送信信号の第１若しくは第２の高調波又は前記送信信号に関連付けられたＬＯ信号のうちの少なくとも１つの間の結合
のうちの少なくとも１つに基づいて選択される、請求項１に記載の方法。
【請求項４】
前記第３の周波数シンセサイザは、前記第１の周波数シンセサイザである、請求項１に記載の方法。
【請求項５】
前記キャリアアグリゲーション方式において第３のＣＣの受信を追加又は停止することと、前記第３のＣＣは、前記第１のＣＣ及び前記第２のＣＣとは異なる周波数を有し、
前記第３のＣＣの前記追加又は停止された受信に基づいて、
前記第１の周波数シンセサイザ、前記第２の周波数シンセサイザ又は前記第３の周波数シンセサイザのうちの少なくとも１つを異なる出力周波数に再同調すること、
前記第１の分周率、前記第２の分周率又は前記第３の分周率のうちの少なくとも１つを変えること、
増幅された前記第１のＣＣを、前記第１のミキサによって乗じられることから、前記第２のミキサによって乗じられることに切り替えること、
増幅された前記第１のＣＣを、前記第２のミキサによって乗じられることから、前記第１のミキサによって乗じられることに切り替えること又は、
増幅された前記第１のＣＣを、前記第１のミキサ又は前記第２のミキサによって乗じられることから、第４のＬＯ経路を介して受信され、第４の周波数シンセサイザによって生成される第１のＬＯ信号が第４のミキサによって乗じられることに切り替えること
のうちの少なくとも１つを行うことと
を更に備え、前記第４の周波数シンセサイザの出力周波数が前記第１のＬＯ信号を生成するために第４の分周率で分周される、請求項１に記載の方法。
【請求項６】
前記第３のＣＣの受信を追加することは、第３のＬＮＡ及び第５のミキサを備える第３の受信経路を介して前記第３のＣＣを受信及び処理することを備え、ここにおいて、前記第３のＬＮＡは、前記第３のＣＣを増幅するように構成され、前記第５のミキサは、増幅された前記第３のＣＣに、第５のＬＯ経路を介して受信され、第５の周波数シンセサイザによって生成される第３のＬＯ信号を乗じるように構成され、前記第５の周波数シンセサイザの出力周波数が前記第３のＬＯ信号を生成するために第５の分周率で分周される、請求項５に記載の方法。
【請求項７】
前記第５の周波数シンセサイザは、前記第１の周波数シンセサイザ、前記第２の周波数シンセサイザ、前記第３の周波数シンセサイザ又は前記第４の周波数シンセサイザである、請求項６に記載の方法。
【請求項８】
前記キャリアアグリゲーション方式において第４のＣＣの受信を追加又は停止することと、前記第４のＣＣは、前記第１のＣＣ、前記第２のＣＣ及び前記第３のＣＣとは異なる周波数を有し、
前記第４のＣＣの前記追加又は停止された受信に基づいて、
前記第１の周波数シンセサイザ、前記第２の周波数シンセサイザ、前記第３の周波数シンセサイザ又は前記第４の周波数シンセサイザのうちの少なくとも１つを異なる出力周波数に再同調すること、
前記第１の分周率、前記第２の分周率、前記第３の分周率又は前記第４の分周率のうちの少なくとも１つを変えること、
増幅された前記第１のＣＣを、前記第１のミキサによって乗じられることから前記第２のミキサ又は前記第４のミキサによって乗じられることに切り替えること、
増幅された前記第１のＣＣを、前記第２のミキサによって乗じられることから、前記第１のミキサ又は前記第４のミキサによって乗じられることに切り替えること、
増幅された前記第１のＣＣを、前記第４のミキサによって乗じられることから、前記第１のミキサ又は前記第２のミキサによって乗じられることに切り替えること又は
増幅された前記第１のＣＣを、前記第１のミキサ、前記第２のミキサ又は前記第４のミキサによって乗じられることから、第６のＬＯ経路を介して受信され、第６の周波数シンセサイザによって生成される第１のＬＯ信号が第６のミキサによって乗じられることに切り替えること、
のうちの少なくとも１つを行うことと
を更に備え、前記第６の周波数シンセサイザの出力周波数が前記第１のＬＯ信号を生成するために第６の分周率で分周される、請求項６に記載の方法。
【請求項９】
前記第４のＣＣの受信を追加することは、第４のＬＮＡ及び第７のミキサを備える第４の受信経路を介して前記第４のＣＣを受信及び処理することを備え、ここにおいて、前記第４のＬＮＡは、前記第４のＣＣを増幅するように構成され、前記第７のミキサは、増幅された前記第４のＣＣに、第７のＬＯ経路を介して受信され、第７の周波数シンセサイザによって生成される第４のＬＯ信号を乗じるように構成され、前記第７の周波数シンセサイザの出力周波数が前記第４のＬＯ信号を生成するために第７の分周率で分周される、請求項８に記載の方法。
【請求項１０】
前記第７の周波数シンセサイザは、前記第２の周波数シンセサイザであり、前記第７のミキサは、前記第２のミキサである、請求項９に記載の方法。
【請求項１１】
前記第６の周波数シンセサイザは、前記第１の周波数シンセサイザ、前記第２の周波数シンセサイザ又は前記第３の周波数シンセサイザではない、請求項８に記載の方法。
【請求項１２】
前記第２のＣＣは、前記第１のＣＣとは異なる発展型ＵＭＴＳ（ユニバーサルモバイルテレコミュニケーションシステム）地上無線アクセス（Ｅ−ＵＴＲＡ）周波数帯域である、請求項１に記載の方法。
【請求項１３】
ワイヤレス通信のための装置であって、
第１の周波数シンセサイザと、前記第１の周波数シンセサイザの出力周波数が第１の局部発振器（ＬＯ）信号を生成するために第１の分周率で分周される、
キャリアアグリゲーション方式において第１のコンポーネントキャリア（ＣＣ）を受信及び処理するように構成された第１の受信経路と、ここで、前記第１の受信経路は、
前記第１のＣＣを増幅するように構成された第１の低ノイズ増幅器（ＬＮＡ）及び
増幅された前記第１のＣＣに、第１のＬＯ経路を介して受信された前記第１のＬＯ信号を乗じるように構成された第１のミキサ
を備える、
前記キャリアアグリゲーション方式において第２のＣＣの受信を追加又は停止することと、前記第２のＣＣは、前記第１のＣＣとは異なる周波数を有する、
前記第２のＣＣの前記追加又は停止された受信に基づいて、
前記第１の周波数シンセサイザを異なる出力周波数に再同調すること、
前記第１の分周率を変えること又は
増幅された前記第１のＣＣを、前記第１のミキサによって乗じられることから、第２のＬＯ経路を介して受信され、第２の周波数シンセサイザによって生成される第１のＬＯ信号が第２のミキサによって乗じられることに切り替えること
のうちの少なくとも１つを行うことと
を行うように構成され、前記第２の周波数シンセサイザの出力周波数が前記第１のＬＯ信号を生成するために第２の分周率で分周される、処理システムと
を備え、
第２のＬＮＡ及び第３のミキサを備える第２の受信経路と、
第３の周波数シンセサイザと
を更に備える、ここにおいて、前記処理システムは、前記第２の受信経路を介した前記第２のＣＣの受信及び処理を制御することで前記第２のＣＣの受信を追加するように構成され、前記第２のＬＮＡは、前記第２のＣＣを増幅するように構成され、前記第３のミキサは、増幅された前記第２のＣＣに、第３のＬＯ経路を介して受信され、前記第３の周波数シンセサイザによって生成される第２のＬＯ信号を乗じるように構成され、前記第３の周波数シンセサイザの出力周波数が前記第２のＬＯ信号を生成するために第３の分周率で分周される、
装置。
【請求項１４】
前記第１の周波数シンセサイザは、前記第１のＣＣが唯一のコンポーネントキャリアであるとき、前記キャリアアグリゲーション方式のための全ての周波数シンセサイザの中で最も低い電流消費を有する、又は
前記処理システムは、
前記第１の分周率及び前記第２の分周率に並びに前記第１の周波数シンセサイザ及び前記第２の周波数シンセサイザに関連付けられた電流消費又は
前記第１のＬＯ信号、前記第１のコンポーネントキャリア、前記第２のコンポーネントキャリア、送信信号の第１若しくは第２の高調波又は前記送信信号に関連付けられたＬＯ信号のうちの少なくとも１つの間の結合
のうちの少なくとも１つに基づいて、前記再同調すること、前記変えること又は前記切り替えることのうちの最も小さいものを、選択するように構成される、請求項１３に記載の装置。
【請求項１５】
ワイヤレス通信のためのコンピュータ可読媒体であって、前記媒体は、請求項１−１２のうちのいずれかに記載の方法を実施するために実行可能な命令を記憶している、コンピュータ可読媒体。
【発明の詳細な説明】
【関連出願への相互参照】
【０００１】
[0001]本願は、２０１４年５月１５日に出願された「DYNAMIC LOCAL OSCILLATOR (LO) SCHEME AND SWITCHABLE RECEIVE (RX) CHAIN FOR CARRIER AGGREGATION」と題する米国特許仮出願第６１／９９３，３３４号の利益を主張する、２０１５年３月３日に出願された米国特許出願第１４／６３６，５９１号の優先権を主張し、両方とも全体が参照により組み込まれる。
【技術分野】
【０００２】
[0002]本開示の特定の態様は一般に、ワイヤレス通信のための無線周波数（ＲＦ）回路に関し、より具体的には、キャリアアグリゲーション（ＣＡ）のための動的局部発振器（ＬＯ）方式及び再設定可能な受信経路に関する。
【背景技術】
【０００３】
[0003]ワイヤレス通信ネットワークは、電話通信、ビデオ、データ、メッセージング、ブロードキャスト、等の、様々な通信サービスを提供するために広く展開されている。このようなネットワークは、通常は多元接続ネットワークであり、利用可能なネットワークリソースを共有することで複数のユーザのための通信をサポートする。例えば、１つのネットワークは、３Ｇ（第３世代携帯電話の標準と技術の）システムであり得、これは、ＥＶＤＯ（進化データ最適化）、１ｘＲＴＴ（１回無線送信技術又は単純に１ｘ）、Ｗ−ＣＤＭＡ（登録商標）（広帯域符号分割多元接続）、ＵＭＴＳ−ＴＤＤ（ユニバーサルモバイルテレコミュニケーションシステム−時分割複信）、ＨＳＰＡ（高速パケットアクセス）、ＧＰＲＳ（汎用パケット無線サービス）又はＥＤＧＥ（グローバルエボリューションのための強化データレート）を含む様々な３Ｇ無線アクセス技術（ＲＡＴ）のうちの何れか１つを介してネットワークサービスを提供し得る。３Ｇネットワークは、音声通信に加え、高速インターネットアクセス及びビデオ電話を組み込むように進化した広域セルラ電話ネットワークである。更に、３Ｇネットワークは、より確立されており、他のネットワークシステムよりも広いカバレッジエリアを提供し得る。このような多元接続ネットワークはまた、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリアＦＤＭＡ（ＳＣ−ＦＭＤＡ）ネットワーク、第３世代パートナーシッププロジェクト（３ＧＰＰ（登録商標））ロングタームエボリューション（長期的進化）（ＬＴＥ（登録商標））ネットワーク及びロングタームエボリューションアドバンスド（長期的進化高度）（ＬＴＥ−Ａ）ネットワークを含み得る。
【０００４】
[0004]ワイヤレス通信ネットワークは、多数のモバイル局のための通信をサポートすることができる多数の基地局を含み得る。モバイル局（ＭＳ）は、ダウンリンク及びアップリンクを介して基地局（ＢＳ）と通信し得る。ダウンリンク（即ち、順方向リンク）は、基地局からモバイル局への通信リンクを指し、アップリンク（即ち、逆方向リンク）は、モバイル局から基地局への通信リンクを指す。基地局は、ダウンリンクでモバイル局にデータ及び制御情報を送信し得及び／又は、アップリンクでモバイル局からデータ及び制御情報を受信し得る。
【発明の概要】
【０００５】
[0005]本開示の特定の態様は一般に、キャリアアグリゲーションのための動的な局部発振器（ＬＯ）方式及び再構成可能な受信経路に関する。これは、受信機（Ｒｘ）デセンス性能を維持しつつ（即ち、電圧制御型発振器（ＶＣＯ）、ＬＯ及び送信機信号の結合を回避しつつ）、最小限の電流消費を提供する。
【０００６】
[0006]本開示の特定の態様は、ワイヤレス通信のための方法を提供する。方法は一般に、第１の低ノイズ増幅器（ＬＮＡ）及び第１のミキサを備える第１の受信経路を介してキャリアアグリゲーション方式において第１のコンポーネントキャリア（ＣＣ）を受信及び処理することと、ここにおいて、第１のＬＮＡは、第１のＣＣを増幅するように構成され、第１のミキサは、増幅された第１のＣＣに、第１のＬＯ経路を介して受信され、第１のＬＯ信号を生成するために出力周波数が第１の分周率で分周される第１の周波数シンセサイザによって生成された第１のＬＯ信号を乗じるように構成される、キャリアアグリゲーション方式において第２のＣＣの受信を追加又は停止することと、ここで、第２のＣＣは、第１のＣＣとは異なる周波数を有する、第２のＣＣの追加又は停止された受信に基づいて、（１）第１の周波数シンセサイザを異なる出力周波数に再同調すること、（２）第１の分周率を変えること又は（３）増幅された第１のＣＣを、第１のミキサによって乗じられることから、第２のＬＯ経路を介して受信され、第１のＬＯ信号を生成するために出力周波数が第２の分周率で分周される第２の周波数シンセサイザによって生成された第１のＬＯ信号が第２のミキサによって乗じられることに切り替えること、のうちの少なくとも１つを行うこととを含む。
【０００７】
[0007]本開示の特定の態様は、ワイヤレス通信のための装置を提供する。装置は一般に、第１のＬＯ信号を作成するために出力周波数が第１の分周率で分周される第１の周波数シンセサイザと、キャリアアグリゲーション方式において第１のコンポーネントキャリア（ＣＣ）を受信及び処理するように構成された第１の受信経路と、ここで、第１の受信経路は、増幅された第１のＣＣに、第１のＣＣを増幅するように構成された第１の低ノイズ増幅器（ＬＮＡ）及び第１のＬＯ経路を介して受信された第１のＬＯ信号を乗じるように構成された第１のミキサを備える、処理システムとを備える。処理システムは典型的に、キャリアアグリゲーション方式において第２のＣＣの受信を追加又は停止することと、ここで、第２のＣＣは、第１のＣＣとは異なる周波数を有する、第２のＣＣの追加又は停止された受信に基づいて、第１の周波数シンセサイザを異なる出力周波数に再同調すること、第１の分周率を変えること又は増幅された第１のＣＣを、第１のミキサによって乗じられることから、第２のＬＯ経路を介して受信され、第１のＬＯ信号を生成するために出力周波数が第２の分周率で分周される第２の周波数シンセサイザによって生成された第１のＬＯ信号が第２のミキサによって乗じられることに切り替えること、のうちの少なくとも１つを行うことと、を行うように構成される。
【０００８】
[0008]本開示の特定の態様は、ワイヤレス通信のための非一時的なコンピュータ可読媒体を提供する。媒体は一般に、それに記憶された命令を含み、それら命令は、第１のＬＮＡ及び第１のミキサを備える第１の受信経路を介してキャリアアグリゲーション方式において第１のＣＣを受信及び処理することと、ここにおいて、第１のＬＮＡは、第１のＣＣを増幅するように構成され、第１のミキサは、増幅された第１のＣＣに、第１のＬＯ経路を介して受信され、第１のＬＯ信号を作成するために出力周波数が第１の分周率で分周される第１の周波数シンセサイザによって生成された第１のＬＯ信号を乗じるように構成される、キャリアアグリゲーション方式において第２のＣＣの受信を追加又は停止することと、ここで、第２のＣＣは、第１のＣＣとは異なる周波数を有する、第２のＣＣの追加又は停止された受信に基づいて、第１の周波数シンセサイザを異なる出力周波数に再同調すること、第１の分周率を変えること又は増幅された第１のＣＣを、第１のミキサによって乗じられることから、第２のＬＯ経路を介して受信され、第１のＬＯ信号を作成するために出力周波数が第２の分周率で分周される第２の周波数シンセサイザによって生成された第１のＬＯ信号が第２のミキサによって乗じられることに切り替えること、のうちの少なくとも１つを行うことと、を行うために実行可能である。
【０００９】
[0009]本開示の特定の態様は、ワイヤレス通信のための装置を提供する。装置は一般に、第１の周波数を合成するための手段と、第１のＬＯ信号を作成するために第１の周波数を第１の分周率で分周するための手段と、キャリアアグリゲーション方式において第１のＣＣを受信及び処理するための手段と、ここで、受信及び処理するための手段は、第１のＣＣを増幅するための手段及び増幅された第１のＣＣを、第１のＬＯ経路を介して受信された第１のＬＯ信号と混合するための第１の手段を備える、キャリアアグリゲーション方式において第２のＣＣの受信を追加又は停止するための手段と、ここで、第２のＣＣは、第１のＣＣとは異なる周波数を有する、第２のＣＣの追加又は停止された受信に基づいて、第１の周波数を合成するための手段を異なる出力周波数に再同調すること、第１の分周率を変えること又は増幅された第１のＣＣを、混合するための第１の手段によって混合されることから、第２のＬＯ経路を介して受信され、第１のＬＯ信号を作成するために第２の分周率で分周される第２の周波数を合成するための手段によって生成された第１のＬＯ信号が、混合するための第２の手段によって混合されることに切り替えること、のうちの少なくとも１つから選択するための手段とを含む。
【００１０】
[0010]本開示の上述された特徴が詳細に理解されることができるように、上で簡潔に要約された内容についてのより具体的な説明が、複数の態様を参照することによってなされ得、そのうちの幾つかは、添付の図面に例示されている。しかしながら、添付の図面が本開示の特定の典型的な態様のみを例示しており、従って、その説明が他の同等に効果的な態様を認め得るので、その範囲を限定するとみなされるべきではないことに留意されたい。
【図面の簡単な説明】
【００１１】
【図１】[0011]図１は、本開示の特定の態様に係る、例となるワイヤレス通信ネットワークの図である。
【図２】[0012]図２は、本開示の特定の態様に係る、例となるアクセスポイント（ＡＰ）及び例となるユーザ端末のブロック図である。
【図３】[0013]図３は、本開示の特定の態様に係る、例となるトランシーバフロントエンドのブロック図である。
【図４】[0014]図４は、本開示の特定の態様に係る、異なる領域におけるダウンリンクキャリアアグリゲーション（ＣＡ）についての例となる周波数帯域組み合わせ（frequency band combination）の表である。
【図５Ａ】[0015]図５Ａは、本開示の特定の態様に係る、異なるＣＡ周波数シンセサイザについての例となる局部発振器（ＬＯ）分周率の表である。
【図５Ｂ】[0016]図５Ｂは、本開示の特定の態様に係る、例となる電圧制御型発振器（ＶＣＯ）及びＬＯ分周器の電流消費が追加されている、図５Ａの表の再編成されたバージョンである。
【図６】[0017]図６は、本開示の特定の態様に係る、Ｂ１，Ｂ３，Ｂ７，及びＢ２８の様々な例となるＣＡ周波数帯域組み合わせについての結合違反（coupling violation）の数を提供する表である。
【図７Ａ】[0018]図７Ａは、本開示の特定の態様に係る、ダウンリンクコンポーネントキャリア（ＣＣ）を連続的に追加するときの、動的ＬＯ方式及び受信経路構成を例示する。
【図７Ｂ】図７Ｂは、本開示の特定の態様に係る、ダウンリンクＣＣを連続的に追加するときの、動的ＬＯ方式及び受信経路構成を例示する。
【図７Ｃ】図７Ｃは、本開示の特定の態様に係る、ダウンリンクＣＣを連続的に追加するときの、動的ＬＯ方式及び受信経路構成を例示する。
【図７Ｄ】図７Ｄは、本開示の特定の態様に係る、ダウンリンクＣＣを連続的に追加するときの、動的ＬＯ方式及び受信経路構成を例示する。
【図８】[0019]図８は、本開示の特定の態様に係る、異なる数のダウンリンクＣＣに対する、動的ＬＯ方式と静的ＬＯ方式との間での例となる電流消費を比較する棒グラフである。
【図９Ａ】[0020]図９Ａは、本開示の特定の態様に係る、動的ＬＯ方式についての異なる数のダウンリンクＣＣに対するＶＣＯ周波数の棒グラフ及び対応する表を提供する。
【図９Ｂ】[0021]図９Ｂは、本開示の特定の態様に係る、静的ＬＯ方式についての異なる数のダウンリンクＣＣに対するＶＣＯ周波数の棒グラフ及び対応する表を提供する。
【図１０】[0022]図１０は、本開示の特定の態様に係る、動的ＬＯ方式及び切替え可能な受信経路を実装するための例となる動作のフロー図である。
【発明の詳細な説明】
【００１２】
[0023]本開示の様々な態様が以下に説明される。本明細書での教示が幅広い形式で具現化され得ること及び本明細書で開示されている任意の特定の構造、機能又は両方が、代表的なものにすぎないことが明らかであるべきである。本明細書での教示に基づいて、当業者は、本明細書で開示される態様が、任意の他の態様から独立して実装され得ること及びこれらの態様のうちの２つ以上が様々な方法で組み合わせられ得ることを認識すべきである。例えば、本明細書に示される任意の数の態様を使用して、装置が実装され得、かつ方法が実施され得る。加えて、本明細書に示される態様のうちの１つ又は複数に加えて又はそれ以外の、他の構造、機能性又は構造と機能性を使用して、そのような装置が実装され得るか又はそのような方法が実施され得る。更に、態様は、請求項の少なくとも１つの要素を備え得る。
【００１３】
[0024]「例示的」という用語は、本明細書では、「一例、事例又は例示として機能する」という意味で使用される。「例示的」として本明細書で説明される任意の態様は、必ずしも、他の態様よりも好ましい又は有利であると解釈されるべきではない。
【００１４】
[0025]本明細書で説明される技法は、符号分割多元接続（ＣＤＭＡ）、直交周波数分割多重（ＯＦＤＭ），時分割分割接続（ＴＤＭＡ）、空間分割多元接続（ＳＤＭＡ）、単一キャリア周波数分割多元接続（ＳＣ−ＦＤＭＡ）、時分割同期符号分割多元接続（ＴＤ−ＳＣＤＭＡ）、等の様々なワイヤレス技術と組み合わせて使用され得る。複数のユーザ端末は、異なる（１）ＣＭＤＡの場合直交符号チャネルを、（２）ＴＤＭＡの場合タイムスロットを又は（３）ＯＦＤＭの場合サブ帯域を介してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）又は幾つかの他の規格で実装し得る。ＯＦＤＭシステムは、電気電子技術者協会（ＩＥＥＥ）８０２．１１、ＩＥＥＥ８０２．１６、ロングタームエボリューション（ＬＴＥ）（例えば、ＴＤＤ及び／又はＦＤＤモードにおいて）又は幾つかの他の規格を実装し得る。ＴＤＭＡシステムは、モバイル通信のためのグローバルシステム（ＧＳＭ（登録商標）」）又は幾つかの他の規格を実装し得る。これらの様々な規格は、当技術分野において知られている。
【００１５】
ワイヤレスシステムの例
[0026]図１は、アクセスポイント１１０及びユーザ端末１２０を有するワイヤレス通信システム１００を例示する。簡潔にするために、図１には１つのアクセスポイント１１０のみが示されている。アクセスポイント（ＡＰ）は一般に、ユーザ端末と通信する固定局であり、基地局（ＢＳ）、発展型ノードＢ（ｅＮＢ）又は何らかの他の専門用語でも呼ばれ得る。ユーザ端末（ＵＴ）は、固定又はモバイルであり得、モバイル局（ＭＳ）、アクセス端末、ユーザ機器（ＵＥ）、局（ＳＴＡ）、クライアント、ワイヤレスデバイス又は何らかの他の専門用語でも呼ばれ得る。ユーザ端末は、セルラ電話、携帯情報端末（ＰＤＡ）、ハンドヘルドデバイス、ワイヤレスモデム、ラップトップコンピュータ、タブレット、パーソナルコンピュータ、等のワイヤレスデバイスであり得る。
【００１６】
[0027]アクセスポイント１１０は、ダウンリンク及びアップリンクで、いつ何時でも１つ又は複数のユーザ端末１２０と通信し得る。ダウンリンク（即ち、順方向リンク）は、アクセスポイントからユーザ端末への通信リンクであり、アップリンク（即ち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、そのアクセスポイントに調整及び制御を提供する。
【００１７】
[0028]システム１００は、ダウンリンク及びアップリンクでのデータ送信のために、複数の送信アンテナ及び複数の受信アンテナを用いる。アクセスポイント１１０には、ダウンリンク送信のための送信ダイバーシティ及び／又はアップリンク送信のための受信ダイバーシティを達成するために数Ｎａｐ個のアンテナが備わっている。選択されたユーザ端末１２０のセットＮｕは、ダウンリンク送信を受信し、アップリンク送信を送信し得る。選択された各ユーザ端末は、アクセスポイントにユーザ固有のデータを送信し及び／又はアクセスポイントからユーザ固有のデータを受信する。一般に、選択された各ユーザ端末には、１つ又は複数（即ち、Ｎｕｔ≧１）のアンテナが備わっている。選択されたＮｕ個のユーザ端末は、同一の数又は異なる数のアンテナを有することができる。
【００１８】
[0029]ワイヤレスシステム１００は、時分割複信（ＴＤＤ）システム又は周波数分割複信（ＦＤＤ）システムであり得る。ＴＤＤシステムでは、ダウンリンク及びアップリンクは、同一の周波数帯域を共有する。ＦＤＤシステムでは、ダウンリンク及びアップリンクは、異なる周波数帯域を使用する。システム１００はまた、送信のために、単一のキャリア又は複数のキャリアを利用し得る
各ユーザ端末には、（例えば、コストを低く抑えるために）単一のアンテナが又は（例えば、追加のコストがサポートされることができる場合には）複数のアンテナが備わっている。
【００１９】
[0030]図２は、ワイヤレスシステム１００における、アクセスポイント１１０及び２つのユーザ端末１２０ｍと１２０ｘのブロック図を示す。アクセスポイント１１０には、Ｎａｐ個のアンテナ２２４ａ〜２２４ａｐが備わっている。ユーザ端末１２０ｍには、Ｎｕｔ，ｍ個のアンテナ２５２ｍａ〜２５２ｍｕが備わっており、ユーザ端末１２０ｘには、Ｎｕｔ，ｘ個のアンテナ２５２ｘａ〜２５２ｘｕが備わっている。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」とは、周波数チャネルを介してデータを送信することができる独立して動作される装置又はデバイスであり、「受信エンティティ」とは、周波数チャネルを介してデータを受信することができる独立して動作される装置又はデバイスである。以下の説明では、下付きの文字「ｄｎ」はダウンリンクを表し、下付きの文字「ｕｐ」はアップリンクを表し、Ｎｕｐ個のユーザ端末が、アップリンクでの同時送信のために選択され、Ｎｄｎ個のユーザ端末が、ダウンリンクでの同時送信のために選択されるが、Ｎｕｐは、Ｎｄｎと等しい場合も等しくない場合もあり、Ｎｕｐ及びＮｄｎは、静的な値であり得るか又はスケジューリング間隔ごとに変化することができる。ビームステアリング又は何らかの他の空間処理技法が、アクセスポイント及びユーザ端末において使用され得る。
【００２０】
[0031]アップリンクでは、アップリンク送信のために選択された各ユーザ端末１２０において、ＴＸデータプロセッサ２８８が、データソース２８６からトラフィックデータを、コントローラ２８０から制御データを受ける。ＴＸデータプロセッサ２８８は、ユーザ端末についてのトラフィックデータ｛ｄｕｐ｝を、そのユーザ端末のために選択されたレートに関連付けられたコード化及び変調方式に基づいて処理（例えば、符号化、インターリーブ及び変調）し、Ｎｕｔ，ｍ個のアンテナのうちの１つにデータシンボルストリーム｛ｓｕｐ｝を提供する。トランシーバフロントエンド（ＴＸ／ＲＸ）２５４（無線周波数フロントエンド（ＲＦＦＥ）としても知られている）は、それぞれのシンボルストリームを受け、処理（例えば、アナログ変換、増幅、フィルタ掛け及び周波数アップコンバート）して、アップリンク信号を生成する。トランシーバフロントエンド２５４はまた、例えば、ＲＦスイッチを介して、送信ダイバーシティのためにＮｕｔ，ｍ個のアンテナのうちの１つにアップリンク信号をルーティングし得る。コントローラ２８０は、トランシーバフロントエンド２５４内でこのルーティングを制御し得る。
【００２１】
[0032]数Ｎｕｐ個のユーザ端末が、アップリンクでの同時送信のためにスケジューリングされ得る。これらユーザ端末の各々は、その処理されたシンボルストリームのセットをアップリンクでアクセスポイントに送信する。
【００２２】
[0033]アクセスポイント１１０では、Ｎａｐ個のアンテナ２２４ａ〜２２４ａｐが、アップリンクで送信するＮｕｐ個のユーザ端末全てからアップリンク信号を受信する。受信ダイバーシティの場合、トランシーバフロントエンド２２２は、処理のために、アンテナ２２４のうちの１つから受信される信号を選択し得る。本開示の特定の態様について、複数のアンテナ２２４から受信される信号の組み合わせは、強化受信ダイバーシティのために組み合わせられ得る。アクセスポイントのトランシーバフロントエンド２２２はまた、ユーザ端末のトランシーバフロントエンド２５４によって実行される処理に相補的な処理を実行し、復元されたアップリンクデータシンボルストリームを提供する。復元されたアップリンクデータシンボルストリームは、ユーザ端末によって送信されるデータシンボルストリーム｛ｓｕｐ｝の推定値である。ＲＸデータプロセッサ２４２は、復元されたアップリンクデータシンボルストリームを、そのストリームに使用されたレートに従って処理（例えば、復調、デインターリーブ及び復号）して、復号されたデータを取得する。各ユーザ端末についての復号されたデータが、記憶のためにデータシンク２４４に及び／又は更なる処理のためにコントローラ２３０に、供給され得る。
【００２３】
[0034]ダウンリンクでは、アクセスポイント１１０において、ＴＸデータプロセッサ２１０が、データソース２０８から、ダウンリンク送信のためにスケジューリングされたＮｄｎ個のユーザ端末についてのトラフィックデータを受け、コントローラ２３０から制御データを受け、場合によっては、スケジューラ２３４から他のデータを受ける。様々なタイプのデータが、異なるトランスポートチャネルで送られ得る。ＴＸデータプロセッサ２１０は、各ユーザ端末についてのトラフィックデータを、そのユーザ端末のために選択されたレートに基づいて処理（例えば、符号化、インターリーブ及び変調）する。ＴＸデータプロセッサ２１０は、Ｎａｐ個のアンテナのうちの１つから送信されるべきダウンリンクデータシンボルストリームを、より多くのＮｄｎ個のユーザ端末のうちの１つに提供し得る。トランシーバフロントエンド２２２は、シンボルストリームを受け、処理（例えば、アナログ変換、増幅、フィルタ掛け及び周波数アップコンバート）して、ダウンリンク信号を生成する。トランシーバフロントエンド２２２はまた、例えば、送信ダイバーシティのために、ＲＦスイッチを介して、Ｎａｐ個のアンテナ２２４のうちの１つ又は複数にダウンリンク信号をルーティングし得る。コントローラ２３０は、トランシーバフロントエンド２２２内でこのルーティングを制御し得る。
【００２４】
[0035]各ユーザ端末１２０において、Ｎｕｔ，ｍ個のアンテナ２５２が、アクセスポイント１１０から、Ｎａｐ個のダウンリンク信号を受信する。ユーザ端末１２０における受信ダイバーシティのために、トランシーバフロントエンド２５４は、処理するための、アンテナ２５２のうちの１つから受ける信号を選択し得る。本開示の特定の態様について、複数のアンテナ２５２から受ける信号の組み合わせは、強化受信ダイバーシティのために組み合わせられ得る。ユーザ端末のトランシーバフロントエンド２５４はまた、アクセスポイントのトランシーバフロントエンド２２２によって実行される処理に相補的な処理を実行し、復元されたダウンリンクデータシンボルストリームを提供する。ＲＸデータプロセッサ２７０が、復元されたダウンリンクデータシンボルストリームを処理（例えば、復調、デインターリーブ及び復号）して、そのユーザ端末のための復号されたデータを取得する。
【００２５】
[0036]当業者は、本明細書で説明される技法が一般に、ＴＤＭＡ、ＳＤＭＡ、直交周波数分割多元接続（ＯＦＤＭＡ）、ＣＤＭＡ、ＳＣ−ＦＤＭＡ、ＴＤ−ＳＣＤＭＡ及びそれらの組み合わせといった多元接続方式のうちの何れかのタイプを利用するシステムにおいて適用され得ることを認識するだろう。
【００２６】
[0037]図３は、本開示の特定の態様に係る、図２のトランシーバフロントエンド２２２，２５４のような例となるトランシーバフロントエンド３００のブロック図である。トランシーバフロントエンド３００は、１つ又は複数のアンテナを介して信号を送信するための送信（ＴＸ）経路３０２（送信チェーンとしても知られている）及びアンテナを介して信号を受信するための受信（ＲＸ）経路３０４（受信チェーンとしても知られている）を含む。ＴＸ経路３０２及びＲＸ経路３０４がアンテナ３０３を共有する場合、これら経路は、デュプレクサ、スイッチ、ダイプレクサ、等の任意の様々な適切なＲＦデバイスを含み得るインターフェース３０６を介してアンテナと接続され得る。
【００２７】
[0038]デジタル／アナログ変換器（ＤＡＣ）３０８から同相（Ｉ）又は直交（Ｑ）ベースバンドアナログ信号を受けるため、ＴＸ経路３０２は、ベースバンドフィルタ（ＢＢＦ）３１０、ミキサ３１２、ドライバ増幅器（ＤＡ）３１４及び電力増幅器３１６を含み得る。ＢＢＦ３１０、ミキサ３１２及びＤＡ３１４は、無線周波数集積回路（ＲＦＩＣ）に含まれ得、ＰＡ３１６は、多くの場合、ＲＦＩＣの外側にある。ＢＢＦ３１０は、ＤＡＣ３０８から受けたベースバンド信号をフィルタに掛け、ミキサ３１２は、フィルタに掛けられたベースバンド信号を送信局部発振器（ＬＯ）信号と混合して、対象のベースバンドを異なる周波数に変換する（例えば、ベースバンドからＲＦにアップコンバートする）。この周波数変換プロセスは、ＬＯ周波数の和周波数及び差周波数と、対象の信号の周波数を生成する。和周波数及び差周波数は、ビート周波数と呼ばれる。ビート周波数は典型的にＲＦ範囲内にあり、それによって、ミキサ３１２によって出力される信号は典型的に、ＲＦ信号であり、これは、アンテナ３０３による送信の前に、ＤＡ３１４によって及びＰＡ３１６によって増幅される。
【００２８】
[0039]ＲＸ経路３０４は、低ノイズ増幅器（ＬＮＡ）３２２、ミキサ３２４及びベースバンドフィルタ（ＢＢＦ）３２６を含む。ＬＮＡ３２２、ミキサ３２４及びＢＢＦ３２６は、ＴＸ経路構成要素を含む無線周波数集積回路（ＲＦＩＣ）と同一である場合もそうでない場合もあるＲＦＩＣ内に含まれ得る。アンテナ３０３を介して受信されるＲＦ信号は、ＬＮＡ３２２によって増幅され得、ミキサ３２４は、この増幅されたＲＦ信号を、受信局部発振器（ＬＯ）信号と混合して、対象のＲＦ信号を異なるベースバンド周波数に変換（即ち、ダウンコンバート）する。ミキサ３２４によって出力されたベースバンド信号は、アナログ／デジタル変換器（ＡＤＣ）３２８によって、デジタル信号処理のためのデジタルＩ又はＱ信号に変換される前にＢＢＦ３２６によってフィルタに掛けられ得る。
【００２９】
[0040]周波数が安定した状態を維持することがＬＯの出力にとって望ましいが、異なる周波数に同調することは、可変周波数発振器を使用することを示し、これは、安定性と同調性（tunability）との間の折衷（compromise）を伴う。現代のシステムは、特定の同調範囲で、安定しており同調可能なＬＯを生成するために、電圧制御型発振器（ＶＣＯ）を有する周波数シンセサイザを用いる。故に、送信ＬＯは典型的に、ＴＸ周波数シンセサイザ３１８によって生成され、これは、ミキサ３１２においてベースバンド信号と混合される前に増幅器３２０によってバッファ又は増幅（及び／又は、分周）され得る。同様に、受信ＬＯは典型的に、ＲＸ周波数シンセサイザ３３０によって生成され、これは、ミキサ３２４においてＲＦ信号と混合される前に増幅器３３２によってバッファ又は増幅（及び／又は、分周）され得る。
【００３０】
キャリアアグリゲーションにおける例となる動的ＬＯ方式及び切替え可能なＲＸチェーン
[0041]帯域幅を増加させ、それによってビットレートを増加させるために、キャリアアグリゲーションが、ＬＴＥ−Ａのような幾つかの無線アクセス技術（ＲＡＴ）において使用される。キャリアアグリゲーションでは、複数の周波数リソース（即ち、キャリア（搬送波））は、データを送るために割り当てられる。アグリゲートされたキャリアの各々は、コンポーネントキャリア（ＣＣ）と呼ばれる。ＬＴＥリリース１０では、例えば、最大で５つのコンポーネントキャリアがアリグレートされ得、結果として、１００ＭＨｚという最大のアリグレートされた帯域幅に至る。リソースの割振りは、連続的又は非連続的であり得る。非連続的な割振りは、帯域内（即ち、コンポーネントキャリアは、同一の動作周波数帯域に属するが、それらの間には１つ又は複数のギャップがある）又は帯域間のいずれかであり得、このケースでは、コンポーネントキャリアは、異なる動作周波数帯域に属する。
【００３１】
[0042]ＬＴＥ−Ａキャリアアグリゲーション（ＣＡ）では、複数のキャリアが、データスループットを増加させるために、モバイルトランシーバで使用される。各キャリアは、電圧制御型発振器（ＶＣＯ）を利用して、その局部発振器（ＬＯ）周波数を生成する。ＶＣＯ同士でそれらの間の結合及びＶＣＯと送信機（ＴＸ）信号との間の結合を最小化又は少なくとも低減するために、包括的なＶＣＯ周波数計画（comprehensive VCO frequency plan）及びＬＯ分周率方式（LO divide ratio scheme）が使用され得る。これは、同一のＬＯ周波数が異なる方法で生成されることを可能にし、それによって、特定のＣＡ周波数帯域組み合わせについて、１つ又は数個のＶＣＯ／ＬＯ組み合わせが、最小結合及びＲｘデセンスを生み出すだろう。現在の解決策は、（１）所与のＣＡ組み合わせにＶＣＯ周波数計画及びＬＯ分周率を事前割当てすること及び（２）非線形干渉キャンセレーション（ＮＬＩＣ）のようなデジタル結合キャンセレーションを使用すること、を含む。両方の解決策とも、本開示の特定の態様と比べて電流ペナルティを有する（即ち、不必要に、より多くの電流を消費する）。
【００３２】
[0043]静的ＬＯ方式の代わりに、本開示の特定の態様は、動的ＬＯ生成を提供する。ＣＡ結合が存在しない（例えば、ＣＡ周波数シンセサイザＣＡ１を使用する）場合、１つのダウンリンクコンポーネントキャリア（１ＤＬ）の最低電流消費は、開始点である。次に、より多くのダウンリンクコンポーネントキャリアオプションが利用可能な場合、例えば、２ＤＬ又は３ＤＬに対して最小電流解決策が選択される。動的ＬＯ方式は、最大数のダウンリンクコンポーネントキャリアに達するとき、静的方式と同一の電流消費にまとまるだろう。１ＤＬから最大数のダウンリンクコンポーネントキャリアまで、全てが最も低い電流を消費しつつ最小結合を達成するために、ＶＣＯは新しい構成のために再同調され得、ＬＯ分周率が変えられ得及び／又は、受信経路が、異なるＬＯドライブ（例えば、異なるＬＮＡ）を有する異なるミキサに切り替えられ得る。
【００３３】
[0044]各キャリアは、異なる領域において異なるＣＡ周波数帯域組み合わせを有する。図４の表４００は、４つのダウンリンクコンポーネントキャリア（４ＤＬ）キャリアアグリゲーションについての幾つかの例を提供する。周波数帯域組み合わせＢ１／Ｂ３／Ｂ７／Ｂ２８（表４００の第３の行）が、本開示では例示的な目的で使用されるが、本明細書に提示される概念は、任意の周波数帯域組み合わせに適用される。
【００３４】
[0045]ＶＣＯ及びＬＯ結合を回避するために、ＶＣＯ周波数計画、特定のＬＯ分周率及び特定の受信チェーン構成を伴う包括的な方式が利用され得る。これは、同一の帯域のＬＯ周波数が、異なる方法で生成されることを可能にする。例えば、９０を超える数の異なるＶＣＯ／ＬＯ結合メカニズムが、異なる周波数及びＬＯ分周率を有する帯域組み合わせごとに分析され得る。下記式のうちの１つが満たされる場合、結合妨害が存在する：  
【００３５】
【数１】
0006490716.tif 000002
【００３６】
ここで、ｆ＿ＶＣＯは、ＶＣＯ周波数であり、ｆ＿Ｔｘは、送信機周波数であり、ｆ＿ｓｉｇは、受信信号周波数であり、ＰＲｘは、一次受信機（Ｒｘ）であり、ＳＲｘは、二次受信機であり、ＴＲｘは、三次受信機であり、Ｔｘは、送信機であり、ＧＰＳは、全地球測位システムである。
【００３７】
[0046]図５Ａは、本開示の特定の態様に係る、４つの異なるＣＡ周波数シンセサイザ（ＣＡ０−ＣＡ３）及び送信機（ＴＸ）についての例となるＬＯ分周率の表５００である。所与の４ＤＬ ＣＡ組み合わせに対して最小結合を達成するために、特定のＶＣＯ周波数及びＬＯ分周率（例えば、ｄｉｖ２，ｄｉｖ３及びｄｉｖ６）が関与している。例えば、組み合わせＢ１＋Ｂ３＋Ｂ７＋Ｂ２８について、Ｂ１（ＣＡ２ ｄｉｖ３）＋Ｂ３（ＣＡ３ ｄｉｖ２）＋Ｂ２８（ＣＡ１ ｄｉｖ６）＋Ｂ７（ＣＡ０ ｄｉｖ２）が、ゼロ結合違反を要望され得る。表４００によれば、Ｂ２８は、低周波数帯域（ＬＢ）であり、Ｂ１及びＢ３は、中間周波数帯域（ＭＢ）であり、Ｂ７は、高周波数帯域（ＨＢ）である。
【００３８】
[0047]異なるＣＡ周波数シンセサイザ及び分周率で同一のＬＯ周波数が生成され得るが、電流消費は、図５Ｂの表５５０に例示されるように、かなり異なり得る。表５５０は、例となるＶＣＯ及びＬＯ分周器の電流消費値が追加された、図５Ａの表５００の再編成されたバージョンである。
【００３９】
[0048]図６は、本開示の特定の態様に係る、Ｂ１，Ｂ３，Ｂ７及びＢ２８の例となる様々なＣＡ周波数帯域組み合わせについての結合違反の数を提供する表６００である。表６００では、「Ｐｃｅｌｌ」は一次セル帯域であり、ここで、送信機（Ｔｘ）はＰｃｅｌｌ内にあり、「Ｓｃｅｌｌ」は二次セル帯域であり、「Ｔｃｅｌｌ」は、三次セル帯域であり、「ＰＴ」は、一次送信機であり、「ＰＲ」は、一次Ｒｘであり、「ＳＲ」は、二次Ｒｘであり、「ＴＲ」は、三次Ｒｘである。また表６００において、「ｄｉｖ＿」は、ＬＯ分周率（例えば、２から１２の範囲）であり、「ＶＣＯ＿」は、ＣＡ周波数シンセサイザである。
【００４０】
[0049]Ｂ１からＣＡ２／ｄｉｖ３、Ｂ３からＣＡ３／ｄｉｖ２、Ｂ２８からＣＡ１／ｄｉｖ６、Ｂ７からＣＡ０／ｄｉｖ２という割当てが固定である場合、この割当ては、表６００の第２の行においてみられるように、４つ全てのダウンリンクＣＣが使用されるとき、最小結合違反にすべきであった。しかしながら、Ｂ１，Ｂ３又はＢ７における１つのダウンリンク（１ＤＬ）コンポーネントキャリア（これは、非ＣＡである）のケースについて、電流消費は、ＣＡ１周波数シンセサイザが（Ｂ２８の代わりに）これらの帯域に使用されるケースと比べて最適ではない。２ＤＬのケースについても同様に、ＣＡ２／ｄｉｖ３＋ＣＡ３／ｄｉｖ２を有するＢ１＋Ｂ３は、ＣＡ１／ｄｉｖ２＋ＣＡ３／ｄｉｖ２よりも多くの電流を消費する。
【００４１】
[0050]４ＤＬのケースが、１ＤＬから４ＤＬへ上げられるあらゆるシーケンスを有し得ることに留意されたい。例として、Ｂ１→Ｂ１＋Ｂ３→Ｂ１＋Ｂ３＋Ｂ２８→Ｂ１＋Ｂ３＋Ｂ２８＋Ｂ７である。代替的な例として、Ｂ３→Ｂ３＋Ｂ７→Ｂ３＋Ｂ７＋Ｂ１→Ｂ３＋Ｂ７＋Ｂ１＋Ｂ２８である。
【００４２】
[0051]静的ＬＯ方式の代わりに、本開示の特定の態様は、動的ＬＯ生成を提供する。特定の態様は典型的に、ＣＡ結合が存在しない（例えば、ＣＡ１）場合、最低電流解決策によって１ＤＬを開始し得る。次に、ＣＣが追加されると、より多くの最小結合違反オプションが利用可能な場合、２ＤＬ又は３ＤＬに対して最小電流解決策が選択され得る。意図的に（By design）、この動的ＬＯ方式は、ダウンリンクコンポーネントキャリアの数がＤＬ ＣＣの最大数（ｍａｘ ＤＬ）達するとき、静的ＬＯ方式と同一の電流消費にまとめられる。
【００４３】
[0052]１ＤＬからｍａｘ ＤＬまで、ＣＡ周波数シンセサイザにおけるＶＣＯは、新しい構成に対して再同調され得、ＬＯ分周率が変えられ得及び／又は受信経路が、例えば、異なるＬＯドライブ（例えば、異なるＬＮＡ）を有する異なるミキサに切り替えることで再構成され得る。このように、最小結合は、最も低い又は少なくとも低減された電流を消費しつつ達成され得る。
【００４４】
[0053]図７Ａ−７Ｄは、本開示の特定の態様に係る、ダウンリンクコンポーネントキャリアを連続的に追加する（１ＤＬ→２ＤＬ→３ＤＬ→４ＤＬ）ときの、動的ＬＯ方式及び受信経路構成を例示する。このシーケンスは、ダウンリンクＣＣの受信を連続的に停止するとき同一の構成で逆に（４ＤＬ→３ＤＬ→２ＤＬ→１ＤＬ）発生し得る。
【００４５】
[0054]図７Ａの構成７００では、最も低い電流消費を有する周波数シンセサイザ（例えば、ＣＡ１ ＶＣＯ７０４）が１ＤＬに対して使用され、ここでは、他のＶＣＯからの結合は、問題ではない。ここで、Ｂ１内の受信されたコンポーネントキャリアは、ＬＮＡ７０２によって増幅され得、ミキサ７０６は、増幅されたＢ１ ＣＣに、ＬＯ分周率ｄｉｖ２を有するＣＡ１によって供給されるＬＯ信号７０８を乗じる。Ｂ１がＭＢである場合、ＣＡ１ ｄｉｖ２方式は、２１ｍＡという最低合計電流消費を有すること、ここで、図５Ｂの表５５０に例示されているように、ＶＣＯ電流は１２ｍＡであり、分周器電流は９ｍＡである、に留意されたい。
【００４６】
[0055]図７Ｂの構成７３０では、Ｂ２８内のコンポーネントキャリアが追加される。従って、ＣＡ３ ＶＣＯ７３２がイネーブルにされ、Ｂ１内のコンポーネントキャリアは、今度は、Ｂ１のための異なるミキサ７３４に切り替えることで、分周率ｄｉｖ３を有するＣＡ３に移転される。Ｂ２８内のコンポーネントキャリアは、別のＬＮＡ７３６によって増幅され、ミキサ７３８は、増幅されたＢ２８ ＣＣに、ＬＯ分周率ｄｉｖ６を有するＣＡ１によって供給されるＬＯ信号７４０を乗じる。ＣＡ１ ＶＣＯもまた、Ｂ２８に再同調される。
【００４７】
[0056]図７Ｃの構成７６０では、Ｂ７内のコンポーネントキャリアが追加される。従って、ＣＡ２ ＶＣＯ７６２がイネーブルにされ、Ｂ１ ＣＣは、今度は、Ｂ１のための更に別のミキサ７６４に切り替えることで、分周率ｄｉｖ４を有するＣＡ２に移転される。ＣＡ３ ＶＣＯ７３２は、Ｂ７に再同調され、Ｂ７ ＣＣは、更に別のＬＮＡ７６６によって増幅され、ミキサ７６８は、増幅されたＢ７ ＣＣに、異なるＬＯ分周率ｄｉｖ２を有するＣＡ３によって供給されるＬＯ信号７７０を乗じる。
【００４８】
[0057]図７Ｄの構成３９０では、Ｂ３内のコンポーネントキャリアが追加される。結果として、ＣＡ０ ＶＣＯ７９２がイネーブルにされ、Ｂ７ ＣＣは、今度は、Ｂ７のための異なるミキサ７９４に切り替えることで、分周率ｄｉｖ２を有するＣＡ０に移転される。Ｂ１ ＣＣは、ＣＡ２に留まるが、異なるＬＯ分周率ｄｉｖ３が使用される。ＣＡ３ ＶＣＯ７３２は、Ｂ３に再同調され、Ｂ３ ＣＣは、更に別のＬＮＡ７９６によって増幅され、ミキサ７３４は、増幅されたＢ３ ＣＣに、分周率ｄｉｖ２を有するＣＡ３によって供給されるＬＯ信号７９８を乗じる。
【００４９】
[0058]図８は、本開示の特定の態様に係る、異なる数のダウンリンクＣＣに対する、動的ＬＯ方式と静的ＬＯ方式との間での例となる電流消費を比較する棒グラフ８００及び対応する表８２０である。動的及び静的ＬＯ方式は、最大数のダウンリンクコンポーネントキャリア（このケースでは４ＤＬ）を使用するときには同様の電流消費を有するが、動的ＬＯ方式は、より少ない数のダウンリンクコンポーネントキャリアを用いるケースでは大幅に低い電流消費を有することに留意されたい。
【００５０】
[0059]図９Ａは、本開示の特定の態様に係る、動的ＬＯ方式についての異なる数のダウンリンクＣＣに対するＶＣＯ周波数の棒グラフ９００及び対応する表９１０を提供する。動的ＬＯ方式について、より多くのダウンリンクコンポーネントキャリアが追加されるに伴い、より多くのＶＣＯスペクトルが現れる。既存のダウンリンクＣＣのＶＣＯスペクトルは、本明細書ではＢ１について例示されるように、キャリアが追加又は除去されるに伴い、変化し得る。
【００５１】
[0060]図９Ｂは、本開示の特定の態様に係る、静的ＬＯ方式についての異なる数のダウンリンクＣＣに対するＶＣＯ周波数の棒グラフ９５０及び対応する表９６０を提供する。静的ＬＯ方式について、既存のダウンリンクコンポーネントキャリアのＶＣＯスペクトルは、図９Ａの棒グラフ９００とは対照的に、キャリアが追加又は除去されることに伴い変化することはない。
【００５２】
[0061]図１０は、本開示の特定の態様に係る、動的ＬＯ方式及び切替え可能な受信経路を実装するための例となる動作１０００のフロー図である。動作１０００は、基地局又はモバイル局のような、ワイヤレス通信のための装置によって実行され得る。
【００５３】
[0062]動作１０００は、１００２において、第１の受信経路を介して、キャリアアグリゲーション方式において第１のＣＣを受信及び処理することから開始する。第１の受信経路は、第１のＬＮＡ及び第１のミキサを含み得る。第１のＬＮＡは、第１のＣＣを増幅するように構成され、第１のミキサは、増幅された第１のＣＣに、第１のＬＯ経路によって受信され、第１のＬＯ信号を作成するために出力周波数が第１の分周率で分周される第１の周波数シンセサイザによって生成された第１のＬＯ信号を乗じるように構成される。
【００５４】
[0063]１００４において、キャリアアグリゲーション方式における第２のＣＣの受信が、追加又は停止され得る。換言すると、ダウンリンクＣＣの数は、それぞれ、増加又は減少され得る。第２のＣＣは、第１のＣＣとは異なる周波数を有するが、第２のＣＣは、第１のＣＣと同じ又は異なる発展型ＵＭＴＳ（ユニバーサルモバイルテレコミュニケーションシステム）地上無線アクセス（Ｅ−ＵＴＲＡ）周波数帯域内にある。
【００５５】
[0064]１００４における第２のＣＣの追加又は停止された受信に基づいて、以下の動作のうちの少なくとも１つが１００６において発生し得る、即ち、（１）第１の周波数シンセサイザを異なる出力周波数に再同調すること、（２）第１の分周率を変えること又は（３）増幅された第１のＣＣを、第１のミキサによって乗じられることから、第２のＬＯ経路を介して受信され、第１のＬＯ信号を作成するために出力周波数が第２の分周率で分周される第２の周波数シンセサイザによって生成された第１のＬＯ信号が第２のミキサによって乗じられることに切り替えること。
【００５６】
[0065]特定の態様によれば、第１の周波数シンセサイザは、第１のＣＣが唯一のコンポーネントキャリアであるとき、キャリアアグリゲーション方式のための全ての周波数シンセサイザの中で最も低い電流消費を有する。
【００５７】
[0066]特定の態様によれば、再同調すること、変えること又は切り替えることのうちの最も小さいものが、（１）第１及び第２の分周率に並びに第１及び第２の周波数シンセサイザに関連付けられた電流消費又は（２）第１のＬＯ信号、第１のコンポーネントキャリア、第２のコンポーネントキャリア、送信信号の第１若しくは第２の高調波又は送信信号に関連付けられたＬＯ信号のうちの少なくとも１つの間の結合、のうちの少なくとも１つに基づいて選択される。
【００５８】
[0067]特定の態様によれば、第２のＣＣの受信を追加することは、第２の受信経路を介して第２のＣＣを受信及び処理することを伴う。第２の受信経路は、第２のＬＮＡ及び第３のミキサを含む。第２のＬＮＡは、第２のＣＣを増幅するように構成され、第３のミキサは、増幅された第２のＣＣに、第３のＬＯ経路を介して受信され、第２のＬＯ信号を作成するために出力周波数が第３の分周率で分周される第３の周波数シンセサイザによって生成された第２のＬＯ信号を乗じるように構成される。特定の態様の場合、第３の周波数シンセサイザは、第１の周波数シンセサイザと同じである。
【００５９】
[0068]特定の態様によれば、動作１０００は、キャリアアグリゲーション方式において第３のＣＣの受信を追加又は停止することを更に伴い得る。第３のＣＣは、第１及び第２のＣＣとは異なる周波数を有する。第３のＣＣの追加又は停止された受信に基づいて、以下の動作のうちの少なくとも１つが発生し得る、即ち、（１）第１、第２又は第３の周波数シンセサイザのうちの少なくとも１つを異なる出力周波数に再同調すること、（２）第１、第２又は第３の分周率のうちの少なくとも１つを変えること、（３）増幅された第１のＣＣを、第１のミキサによって乗じられることから、第２のミキサによって乗じられることに切り替えること、（４）増幅された第１のＣＣを、第２のミキサによって乗じられることから、第１のミキサによって乗じられることに切り替えること又は（５）増幅された第１のＣＣを、第１又は第２のミキサによって乗じられることから、第４のＬＯ経路を介して受信され、第１のＬＯ信号を作成するために出力周波数が第４の分周率で分周される第４の周波数シンセサイザによって生成された第１のＬＯ信号が第４のミキサによって乗じられることに切り替ええること。特定の態様について、第３のＣＣの受信を追加することは、第３のＬＮＡ及び第５のミキサを備える第３の受信経路を介して第３のＣＣを受信及び処理することを含み、第３のＬＮＡは、第３のＣＣを増幅するように構成され、第５のミキサは、増幅された第３のＣＣに、第５のＬＯ経路を介して受信され、第３のＬＯ信号を作成するために出力周波数が第５の分周率で分周される第５の周波数シンセサイザによって生成された第３のＬＯ信号を乗じるように構成される。第５の周波数シンセサイザは、（例えば、４つのＣＡ周波数シンセサイザしか存在しないケースでは）第１、第２、第３又は第４の周波数シンセサイザと同じであり得る。
【００６０】
[0069]特定の態様によれば、動作１０００は、キャリアアグリゲーション方式において第４のＣＣの受信を追加又は停止することを更に含み得る。第４のＣＣは、第１、第２及び第３のＣＣとは異なる周波数を有する。第４のＣＣの追加又は停止された受信に基づいて、以下の動作のうちの少なくとも１つが発生し得る、即ち、（１）第１、第２、第３の又は第４の周波数シンセサイザのうちの少なくとも１つを異なる出力周波数に再同調すること、（２）第１、第２、第３の又は第４の分周率のうちの少なくとも１つを変えること、（３）増幅された第１のＣＣを、第１のミキサによって乗じられることから第２又は第４のミキサによって乗じられることに切り替えること、（４）増幅された第１のＣＣを、第２のミキサによって乗じられることから、第１又は第４のミキサによって乗じられることに切り替えること、（５）増幅された第１のＣＣを、第４のミキサによって乗じられることから、第１又は第２のミキサによって乗じられることに切り替えること又は（６）増幅された第１のＣＣを、第１、第２又は第４のミキサによって乗じられることから、第６のＬＯ経路を介して受信され、第１のＬＯ信号を作成するために出力周波数が第６の分周率で分周される第６の周波数シンセサイザによって生成された第１のＬＯ信号が第６のミキサによって乗じられることに切り替えること。特定の態様について、第４のＣＣの受信を追加することは、第４のＬＮＡ及び第７のミキサを有する第４の受信経路を介して第４のＣＣを受信及び処理することを伴う。第４のＬＮＡは、第４のＣＣを増幅するように構成され、第７のミキサは、増幅された第４のＣＣに、第７のＬＯ経路によって受信され、第４のＬＯ信号を作成するために出力周波数が第７の分周率で分周される第７の周波数シンセサイザを介して生成された第４のＬＯ信号を乗じるように構成される。第７の周波数シンセサイザは、第２の周波数シンセサイザと同じであり得、第７のミキサは、第２のミキサを同じであり得る。特定の態様について、第６の周波数シンセサイザは、第１、第２又は第３の周波数シンセサイザではない。
【００６１】
[0070]前述された様々な動作又は方法は、対応する機能を実行することができる任意の適切な手段によって実行され得る。これらの手段は、回路、特定用途向け集積回路（ＡＳＩＣ）又はプロセッサを含むがこれらに限定されない、様々なハードウェア及び／又はソフトウェア構成要素及び／又はモジュールを含み得る。一般に、動作が図中に例示されている場合、それらの動作は、同様の参照番号を付した、対応する対照のミーンズプラスファンクション構成要素を有し得る。
【００６２】
[0071]例えば、送信するための手段は、送信機（例えば、図２に描写されるユーザ端末１２０のトランシーバフロントエンド２５４又は図２に示されるアクセスポイント１１０のトランシーバフロントエンド２２２）及び／又はアンテナ（例えば、図２に描かれるユーザ端末１２０ｍのアンテナ２５２ｍａ〜２５２ｍｕ又は図２に例示されるアクセスポイント１１０のアンテナ２２４ａ〜２２４ａｐ）を備え得る。受信するための手段は、受信機（例えば、図２に描写されるユーザ端末１２０のトランシーバフロントエンド２５４又は図２に示されるアクセスポイント１１０のトランシーバフロントエンド２２２）及び／又はアンテナ（例えば、図２に描かれるユーザ端末１２０ｍのアンテナ２５２ｍａ〜２５２ｍｕ又は図２に例示されるアクセスポイント１１０のアンテナ２２４ａ〜２２４ａｐ）を備え得る。周波数（又は、特定の周波数を有する発振信号）を合成するための手段は、ＶＣＯを有する位相ロックドループ（ＰＬＬ）を含み得る図３のＲＸ周波数シンセサイザ３３０のような周波数シンセサイザを備え得る。分周するための手段は、ＬＯを生成するための分周器のような分周器を備え得る。受信及び処理するための手段は、図３のＲＸ経路３０４のような受信経路（即ち、受信チェーン）を備え得る。増幅するための手段は、図３のＬＮＡ３３２又は図７ＤのＬＮＡ７０２、７３６，７６６，及び７９６のような増幅器を備え得る。混合するための手段は、図３のミキサ３２４又は図７Ｄのミキサ７３８，７６４，７３４及び７９４のようなミキサを備え得る。
【００６３】
[0072]処理するための手段、受信を追加又は停止するための手段、選択するための手段又は決定するための手段は、処理システムを備え得、これは、図２に例示されるユーザ端末１２０のＲＸデータプロセッサ２７０、ＴＸデータプロセッサ２８８及び／又はコントローラ２８０のような１つ又は複数のプロセッサを含み得る。追加的又は代替的に、受信を追加又は停止するための手段又は選択するための手段は、図３のインターフェース３０６のようなアンテナと受信経路との間のインターフェースを備え得る。例えば、処理システム（前文で説明されているような）は、このインターフェースを制御し得る。
【００６４】
[0073]本明細書で使用される場合、「決定すること」という用語は、幅広い動作（action）を包含する。例えば、「決定すること」は、算出すること、計算すること、処理すること、導出すること、調査すること、ルックアップすること（例えば、表、データベース又は別のデータ構造をルックアップすること）、確定すること、等を含み得る。また、「決定すること」は、受信すること（例えば、情報を受信すること）、アクセスすること（例えば、メモリ内のデータにアクセスすること）、等を含み得る。また、「決定すること」は、解決すること、選択すること、選ぶこと、確立すること、等を含み得る。
【００６５】
[0074]本明細書で使用される場合、複数の項目からなるリスト「のうちの少なくとも１つ」に関する表現は、単一のメンバを含む、それらの項目の任意の組み合わせを指す。例として、「ａ，ｂ又はｃのうちの少なくとも１つ」は、ａ，ｂ，ｃ，ａ−ｂ，ａ−ｃ，ｂ−ｃ及びａ−ｂ−ｃだけでなく、同じ要素の倍数を伴った任意の組み合わせ（例えば、ａ−ａ，ａ−ａ−ａ，ａ−ａ−ｂ，ａ−ａ−ｃ，ａ−ｂ−ｂ，ａ−ｃ−ｃ，ｂ−ｂ，ｂ−ｂ−ｂ，ｂ−ｂ−ｃ，ｃ−ｃ及びｃ−ｃ−ｃ又はａ，ｂ，ｃの任意の他の順序）をカバーすることを想定している。
【００６６】
[0075]本開示に関連して説明された実例となる様々な論理ブロック、モジュール及び回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス（ＰＬＤ）、ディスクリートゲート若しくはトランジスタ論理回路、ディスクリートハードウェア構成要素又は本明細書で説明された機能を実行するよう設計されたそれらの任意の組み合わせで実装又は実行され得る。汎用プロセッサは、マイクロプロセッサであり得るが、代替的に、プロセッサは、任意の市販のプロセッサ、コントローラ、マイクロコントローラ又はステートマシンであり得る。プロセッサはまた、コンピューティングデバイスの組み合わせ、例えば、ＤＳＰと、１つのマイクロプロセッサ、複数のマイクロプロセッサ、ＤＳＰコアに連結した１つ以上のマイクロプロセッサ又は任意の他のそのような構成との組み合わせとして実装され得る。
【００６７】
[0076]本開示に関連して説明されたアルゴリズム又は方法のステップは、直接ハードウェアで、プロセッサによって実行されるソフトウェアモジュールで又は両者の組み合わせで具現化され得る。ソフトウェアモジュールは、当技術分野で知られている任意の形式の記憶媒体中に存在し得る。使用され得る記憶媒体の幾つかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、等を含む。ソフトウェアモジュールは、単一の命令を備え得るか又は多くの命令を備え得、幾つかの異なるコードセグメントにわたって、異なるプログラム間で及び複数の記憶媒体にわたって分散され得る。記憶媒体は、プロセッサが記憶媒体から情報を読み取り、記憶媒体に情報を書き込むことができるように、プロセッサに結合され得る。代替として、記憶媒体は、プロセッサに一体化され得る。
【００６８】
[0077]本明細書で開示された方法は、説明された方法を達成するための１つ又は複数のステップ又は動作を備える。方法のステップ及び／又は動作は、特許請求の範囲から逸脱することなく互いに置き換えられ得る。換言すると、ステップ又は動作の特定の順序が明記されない限り、特定のステップ及び／又は動作の順序及び／又は使用は、特許請求の範囲から逸脱することなく修正され得る。
【００６９】
[0078]説明された機能は、ハードウェア、ソフトウェア、ファームウェア又はこれらの任意の組み合わせで実装され得る。ハードウェアで実装される場合、例となるハードウェア構成は、ワイヤレスノードにおける処理システムを備え得る。処理システムは、バスアーキテクチャで実装され得る。バスは、処理システムの特定の用途と設計制約全体に依存して、任意の数の相互接続バス及びブリッジを含み得る。バスは、プロセッサ、機械可読媒体及びバスインターフェースを含む様々な回路をリンクさせ得る。バスインターフェースは、バスを介して、とりわけ、処理システムにネットワークアダプタを接続するために使用され得る。ネットワークアダプタは、ＰＨＹ層の信号処理機能を実装するために使用され得る。ユーザ端末１２０（図１を参照）のケースでは、ユーザインターフェース（例えば、キーパッド、ディスプレイ、マウス、ジョイスティック、等）もまた、バスに接続され得る。バスはまた、タイミングソース、周辺機器、電圧レギュレータ、電力管理回路及び同様なもののような様々な他の回路をリンクさせ得るが、これらは当技術分野において周知であるため、これ以上は説明されないだろう。
【００７０】
[0079]プロセッサは、バスを管理すること、機械可読媒体に記憶されたソフトウェアの実行を含む汎用処理を行うことを担い得る。プロセッサは、１つ又は複数の汎用及び／又は専用プロセッサで実装され得る。例には、マイクロプロセッサ、マイクロコントローラ、ＤＳＰプロセッサ及びソフトウェアを実行することができる他の回路が含まれる。ソフトウェアは、ソフトウェア、ファームウェア、ミドルウェア、マイクロコード、ハードウェア記述言語と呼ばれようが、別名で呼ばれようが、命令、データ又はそれらの任意の組み合わせを意味するものとして広く解釈されるものとする。機械可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ又は任意の他の適切な記憶媒体若しくはそれらの任意の組み合わせを含み得る。機械可読媒体は、コンピュータプログラム製品で具現化され得る。コンピュータプログラム製品は、パッケージ材料を備え得る。
【００７１】
[0080]ハードウェアの実装形態では、機械可読媒体は、プロセッサとは別個の処理システムの一部であり得る。しかしながら、当業者が容易に認識するように、機械可読媒体又はその任意の部分は、処理システムの外部にあり得る。例として、機械可読媒体は、送信回線、データによって変調された搬送波及び／又はワイヤレスノードとは別個の、命令を記憶したコンピュータ可読記憶媒体を含み得、それらは全てバスインターフェースを介してプロセッサによりアクセスされ得る。代替的に又は加えて、機械可読媒体又はその任意の部分は、例えば、キャッシュ及び／又は汎用レジスタファイルを有し得るケースにおいて、プロセッサに組み込まれ得る。
【００７２】
[0081]処理システムは、プロセッサ機能性を提供する１つ又は複数のマイクロプロセッサと、機械可読媒体の少なくとも一部を提供する外部メモリとを有し、それら全てが外部バスアーキテクチャを通して他のサポート回路とリンクされている、汎用処理システムとして構成され得る。代替的に、処理システムは、単一のチップに組み込まれた機械可読媒体の少なくとも一部と、プロセッサと、バスインターフェースと、（アクセス端末のケースでは）ユーザインターフェースと、サポート回路とを有するＡＳＩＣ（特定用途向け集積回路）で又は１つ又は複数のＦＰＧＡ（フィールドプログラマブルゲートアレイ）、ＰＬＤ（プログラマブル論理デバイス）、コントローラ、ステートマシン、ゲート論理回路、ディスクリートハードウェア構成要素若しくは任意の他の適切な回路又は本開示全体を通して説明された様々な機能性を実行することができる回路の任意の組み合わせで実装され得る。当業者は、特定の用途とシステム全体に課された設計制約全体とに依存して、処理システムについて説明された機能性をどのように実装することが最善かを認識するだろう。
【００７３】
[0082]機械可読媒体は、多数のソフトウェアモジュールを備え得る。ソフトウェアモジュールは、プロセッサのような装置によって実行されると、様々な機能を実行することを処理システムに行わせる命令を含む。ソフトウェアモジュールは、送信モジュール及び受信モジュールを含み得る。各ソフトウェアモジュールは、単一の記憶デバイスに存在し得るか又は複数の記憶デバイスにわたって分散され得る。例として、ソフトウェアモジュールは、トリガイベントが発生するとハードドライブからＲＡＭへとロードされ得る。ソフトウェアモジュールの実行中、プロセッサは、命令のうちの幾つかをキャッシュへとロードして、アクセススピードを上げ得る。次に、１つ又は複数のキャッシュラインが、プロセッサによる実行のために、汎用レジスタファイルへとロードされ得る。以下でソフトウェアモジュールの機能性について言及する場合、そのような機能性が、そのソフトウェアモジュールからの命令を実行するときにプロセッサによって実装されることは理解されるであろう。
【００７４】
[0083]ソフトウェアに実装される場合、これら機能は、コンピュータ可読媒体において、１つ又は複数の命令又はコードとして、記憶又は送信さ得る。コンピュータ可読媒体は、ある箇所から別の箇所へのコンピュータプログラの移送を容易にする任意の媒体を含むコンピュータ通信媒体及びコンピュータ記憶媒体の両方を含む。記憶媒体は、コンピュータによってアクセスされることができるあらゆる入手可能な媒体であり得る。限定ではなく例として、このようなコンピュータ可読媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶デバイス、或いはデータ構造又は命令の形式で所望のプログラムコードを記憶若しくは搬送するために使用されることができ、かつコンピュータによってアクセスされることができる任意の他の媒体を備え得る。また、任意の接続は厳密にはコンピュータ可読媒体と称される。例えば、ソフトウェアが、ウェブサイト、サーバ又は他のリモートソースから、同軸ケーブル、光ファイバーケーブル、ツイストペア、デジタル加入者回線（ＤＳＬ）若しくは赤外線（ＩＲ）、電波及びマイクロ波のようなワイヤレス技術を使用して送信される場合、これら同軸ケーブル、光ファイバーケーブル、ツイストペア、ＤＳＬ又は赤外線、電波及びマイクロ波のようなワイヤレス技術は、媒体の定義に含まれる。本明細書で使用される場合、ディスク（disk）及びディスク（disc）は、コンパクトディスク（ＣＤ）、レーザーディスク（登録商標）、光ディスク、デジタル多用途ディスク（ＤＶＤ）、フロッピー（登録商標）ディスク及びブルーレイディスクを含み、ディスク（disk）は、通常磁気的にデータを再生し、ディスク（disc）は、レーザーを用いて光学的にデータを再生する。故に、幾つかの態様では、コンピュータ可読媒体は、非一時的なコンピュータ可読媒体（例えば、有形媒体）を備え得る。加えて、他の態様について、コンピュータ可読媒体は、一時的なコンピュータ可読媒体（例えば、信号）を備え得る。上記の組み合わせもまた、コンピュータ可読媒体の範囲内に含まれるべきである。
【００７５】
[0084]故に、特定の態様は、本明細書で提示された動作を実行するためのコンピュータプログラム製品を備え得る。例えば、そのようなコンピュータプログラム製品は、命令が記憶（及び／又は符号化）されているコンピュータ可読媒体を備え得、これらの命令は、本明細書で説明された動作を実行するために１つ又は複数のプロセッサによって実行可能である。特定の態様について、コンピュータプログラム製品は、パッケージ材料を含み得る
[0085]更に、本明細書で説明された方法及び技法を実行するためのモジュール及び／又は他の適切な手段は、適宜、ユーザ端末及び／又は基地局によってダウンロードされる及び／又は他の方法で取得され得ることが認識されるべきである。例えば、そのようなデバイスは、本明細書で説明された方法を実行するための手段の転送を容易にするためにサーバに結合されることができる。代替的に、本明細書で説明された様々な方法は、ユーザ端末及び／又は基地局が、記憶手段をデバイスに結合又は提供することに応じて様々な方法を取得することができるように、記憶手段（例えば、ＲＡＭ、ＲＯＭ、コンパクトディスク（ＣＤ）又はフロッピーディスクのような物理記憶媒体、等）を介して提供されることができる。更に、本明細書で説明された方法及び技法をデバイスに提供するための任意の他の適切な技法が利用され得る。
【００７６】
[0086] 特許請求の範囲は、上に例示されたままの構成及び構成要素に限定されないことが理解されるべきである。様々な修正、変更及び変形は、特許請求の範囲から逸脱することなく、上述した方法及び装置の配置、動作及び詳細に対して行われ得る。
以下に本願発明の当初の特許請求の範囲に記載された発明を付記する。
［Ｃ１］
ワイヤレス通信のための方法であって、
第１の低ノイズ増幅器（ＬＮＡ）及び第１のミキサを備える第１の受信経路を介してキャリアアグリゲーション方式において第１のコンポーネントキャリア（ＣＣ）を受信及び処理することと、ここにおいて、前記第１のＬＮＡは、前記第１のＣＣを増幅するように構成され、前記第１のミキサは、増幅された前記第１のＣＣに、第１のＬＯ経路を介して受信され、第１の局部発振器（ＬＯ）信号を生成するために出力周波数が第１の分周率で分周される第１の周波数シンセサイザによって生成された前記第１のＬＯ信号を乗じるように構成される、
前記キャリアアグリゲーション方式において第２のＣＣの受信を追加又は停止することと、前記第２のＣＣは、前記第１のＣＣとは異なる周波数を有し、
前記第２のＣＣの前記追加又は停止された受信に基づいて、
前記第１の周波数シンセサイザを異なる出力周波数に再同調すること、
前記第１の分周率を変えること又は
増幅された前記第１のＣＣを、前記第１のミキサによって乗じられることから、第２のＬＯ経路を介して受信され、前記第１のＬＯ信号を生成するために出力周波数が第２の分周率で分周される第２の周波数シンセサイザによって生成された前記第１のＬＯ信号が第２のミキサによって乗じられることに切り替えること
のうちの少なくとも１つを行うことと
を備える方法。
［Ｃ２］
前記第１の周波数シンセサイザは、前記第１のＣＣが唯一のコンポーネントキャリアであるとき、前記キャリアアグリゲーション方式のための全ての周波数シンセサイザの中で最も低い電流消費を有する、Ｃ１に記載の方法。
［Ｃ３］
前記再同調すること、前記変えること又は前記切り替えることのうちの最も小さいものは、
前記第１の分周率及び前記第２の分周率に並びに前記第１の周波数シンセサイザ及び前記第２の周波数シンセサイザに関連付けられた電流消費又は、
前記第１のＬＯ信号、前記第１のコンポーネントキャリア、前記第２のコンポーネントキャリア、送信信号の第１若しくは第２の高調波又は前記送信信号に関連付けられたＬＯ信号のうちの少なくとも１つの間の結合
のうちの少なくとも１つに基づいて選択される、Ｃ１に記載の方法。
［Ｃ４］
前記第２のＣＣの受信を追加することは、第２のＬＮＡ及び第３のミキサを備える第２の受信経路を介して前記第２のＣＣを受信及び処理することを備え、ここにおいて、前記第２のＬＮＡは、前記第２のＣＣを増幅するように構成され、前記第３のミキサは、増幅された前記第２のＣＣに、第３のＬＯ経路を介して受信され、第２のＬＯ信号を作成するために出力周波数が第３の分周率で分周される第３の周波数シンセサイザによって生成された前記第２のＬＯ信号を乗じるように構成される、Ｃ１に記載の方法。
［Ｃ５］
前記第３の周波数シンセサイザは、前記第１の周波数シンセサイザである、Ｃ４に記載の方法。
［Ｃ６］
前記キャリアアグリゲーション方式において第３のＣＣの受信を追加又は停止することと、前記第３のＣＣは、前記第１のＣＣ及び前記第２のＣＣとは異なる周波数を有し、
前記第３のＣＣの前記追加又は停止された受信に基づいて、
前記第１の周波数シンセサイザ、前記第２の周波数シンセサイザ又は前記第３の周波数シンセサイザのうちの少なくとも１つを異なる出力周波数に再同調すること、
前記第１の分周率、前記第２の分周率又は前記第３の分周率のうちの少なくとも１つを変えること、
増幅された前記第１のＣＣを、前記第１のミキサによって乗じられることから、前記第２のミキサによって乗じられることに切り替えること、
増幅された前記第１のＣＣを、前記第２のミキサによって乗じられることから、前記第１のミキサによって乗じられることに切り替えること又は、
増幅された前記第１のＣＣを、前記第１のミキサ又は前記第２のミキサによって乗じられることから、第４のＬＯ経路を介して受信され、前記第１のＬＯ信号を作成するために出力周波数が第４の分周率で分周される第４の周波数シンセサイザによって生成された前記第１のＬＯ信号が第４のミキサによって乗じられることに切り替えること
のうちの少なくとも１つを行うことと
を更に備える、Ｃ４に記載の方法。
［Ｃ７］
前記第３のＣＣの受信を追加することは、第３のＬＮＡ及び第５のミキサを備える第３の受信経路を介して前記第３のＣＣを受信及び処理することを備え、ここにおいて、前記第３のＬＮＡは、前記第３のＣＣを増幅するように構成され、前記第５のミキサは、増幅された前記第３のＣＣに、第５のＬＯ経路を介して受信され、第３のＬＯ信号を作成するために出力周波数が第５の分周率で分周される第５の周波数シンセサイザによって生成された前記第３のＬＯ信号を乗じるように構成される、Ｃ６に記載の方法。
［Ｃ８］
前記第５の周波数シンセサイザは、前記第１の周波数シンセサイザ、前記第２の周波数シンセサイザ、前記第３の周波数シンセサイザ又は前記第４の周波数シンセサイザである、Ｃ７に記載の方法。
［Ｃ９］
前記キャリアアグリゲーション方式において第４のＣＣの受信を追加又は停止することと、前記第４のＣＣは、前記第１のＣＣ、前記第２のＣＣ及び前記第３のＣＣとは異なる周波数を有し、
前記第４のＣＣの前記追加又は停止された受信に基づいて、
前記第１の周波数シンセサイザ、前記第２の周波数シンセサイザ、前記第３の周波数シンセサイザ又は前記第４の周波数シンセサイザのうちの少なくとも１つを異なる出力周波数に再同調すること、
前記第１の分周率、前記第２の分周率、前記第３の分周率又は前記第４の分周率のうちの少なくとも１つを変えること、
増幅された前記第１のＣＣを、前記第１のミキサによって乗じられることから前記第２のミキサ又は前記第４のミキサによって乗じられることに切り替えること、
増幅された前記第１のＣＣを、前記第２のミキサによって乗じられることから、前記第１のミキサ又は前記第４のミキサによって乗じられることに切り替えること、
増幅された前記第１のＣＣを、前記第４のミキサによって乗じられることから、前記第１のミキサ又は前記第２のミキサによって乗じられることに切り替えること又は
増幅された前記第１のＣＣを、前記第１のミキサ、前記第２のミキサ又は前記第４のミキサによって乗じられることから、第６のＬＯ経路を介して受信され、前記第１のＬＯ信号を作成するために出力周波数が第６の分周率で分周される第６の周波数シンセサイザによって生成された前記第１のＬＯ信号が第６のミキサによって乗じられることに切り替えること、切り替えること
のうちの少なくとも１つを行うことと
を更に備える、Ｃ７に記載の方法。
［Ｃ１０］
前記第４のＣＣの受信を追加することは、第４のＬＮＡ及び第７のミキサを備える第４の受信経路を介して前記第４のＣＣを受信及び処理することを備え、ここにおいて、前記第４のＬＮＡは、前記第４のＣＣを増幅するように構成され、前記第７のミキサは、増幅された前記第４のＣＣに、第７のＬＯ経路を介して受信され、第４のＬＯ信号を作成するために出力周波数が第７の分周率で分周される第７の周波数シンセサイザによって生成された前記第４のＬＯ信号を乗じるように構成される、Ｃ９に記載の方法。
［Ｃ１１］
前記第７の周波数シンセサイザは、前記第２の周波数シンセサイザであり、前記第７のミキサは、前記第２のミキサである、Ｃ１０に記載の方法。
［Ｃ１２］
前記第６の周波数シンセサイザは、前記第１の周波数シンセサイザ、前記第２の周波数シンセサイザ又は前記第３の周波数シンセサイザではない、Ｃ９に記載の方法。
［Ｃ１３］
前記第２のＣＣは、前記第１のＣＣとは異なる発展型ＵＭＴＳ（ユニバーサルモバイルテレコミュニケーションシステム）地上無線アクセス（Ｅ−ＵＴＲＡ）周波数帯域である、Ｃ１に記載の方法。
［Ｃ１４］
ワイヤレス通信のための装置であって、
第１の局部発振器（ＬＯ）信号を作成するために出力周波数が第１の分周率で分周される第１の周波数シンセサイザと、
キャリアアグリゲーション方式において第１のコンポーネントキャリア（ＣＣ）を受信及び処理するように構成された第１の受信経路と、ここで、前記第１の受信経路は、
前記第１のＣＣを増幅するように構成された第１の低ノイズ増幅器（ＬＮＡ）及び
増幅された前記第１のＣＣに、第１のＬＯ経路を介して受信された前記第１のＬＯ信号を乗じるように構成された第１のミキサ
を備える、
処理システムと
を備え、前記処理システムは、
前記キャリアアグリゲーション方式において第２のＣＣの受信を追加又は停止することと、前記第２のＣＣは、前記第１のＣＣとは異なる周波数を有する、
前記第２のＣＣの前記追加又は停止された受信に基づいて、
前記第１の周波数シンセサイザを異なる出力周波数に再同調すること、
前記第１の分周率を変えること又は
増幅された前記第１のＣＣを、前記第１のミキサによって乗じられることから、第２のＬＯ経路を介して受信され、前記第１のＬＯ信号を作成するために出力周波数が第２の分周率で分周される第２の周波数シンセサイザによって生成された前記第１のＬＯ信号が第２のミキサによって乗じられることに切り替えること
のうちの少なくとも１つを行うことと
を行うように構成される、装置。
［Ｃ１５］
前記第１の周波数シンセサイザは、前記第１のＣＣが唯一のコンポーネントキャリアであるとき、前記キャリアアグリゲーション方式のための全ての周波数シンセサイザの中で最も低い電流消費を有する、Ｃ１４に記載の装置。
［Ｃ１６］
前記処理システムは、
前記第１の分周率及び前記第２の分周率に及び前記第１の周波数シンセサイザ及び前記第２の周波数シンセサイザに関連付けられた電流消費又は
前記第１のＬＯ信号、前記第１のコンポーネントキャリア、前記第２のコンポーネントキャリア、送信信号の第１若しくは第２の高調波又は前記送信信号に関連付けられたＬＯ信号のうちの少なくとも１つの間の結合
のうちの少なくとも１つに基づいて、前記再同調すること、前記変えること又は前記切り替えることのうちの最も小さいものを、選択するように構成される、Ｃ１４に記載の装置。
［Ｃ１７］
第２のＬＮＡ及び第３のミキサを備える第２の受信経路と、
第３の周波数シンセサイザと
を更に備え、前記処理システムは、前記第２の受信経路を介した前記第２のＣＣの受信及び処理を制御することで前記第２のＣＣの受信を追加するように構成され、前記第２のＬＮＡは、前記第２のＣＣを増幅するように構成され、前記第３のミキサは、増幅された前記第２のＣＣに、第３のＬＯ経路を介して受信され、第２のＬＯ信号を作成するために出力周波数が第３の分周率で分周される前記第３の周波数シンセサイザによって生成された前記第２のＬＯ信号を乗じるように構成される、
Ｃ１４に記載の装置。
［Ｃ１８］
前記第３の周波数シンセサイザは、前記第１の周波数シンセサイザである、Ｃ１７に記載の装置。
［Ｃ１９］
前記処理システムは、
前記キャリアアグリゲーション方式において第３のＣＣの受信を追加又は停止することと、ここで、前記第３のＣＣは、前記第１のＣＣ及び前記第２のＣＣとは異なる周波数を有する、
前記第３のＣＣの前記追加又は停止された受信に基づいて、
前記第１の周波数シンセサイザ、前記第２の周波数シンセサイザ又は前記第３の周波数シンセサイザのうちの少なくとも１つを異なる出力周波数に再同調すること、
前記第１の分周率、前記第２の分周率又は前記第３の分周率のうちの少なくとも１つを変えること、
増幅された前記第１のＣＣを、前記第１のミキサによって乗じられることから、前記第２のミキサによって乗じられることに切り替えること、
増幅された前記第１のＣＣを、前記第２のミキサによって乗じられることから、前記第１のミキサによって乗じられることに切り替えること又は
増幅された前記第１のＣＣを、前記第１のミキサ又は前記第２のミキサによって乗じられることから、第４のＬＯ経路を介して受信され、前記第１のＬＯ信号を作成するために出力周波数が第４の分周率で分周される第４の周波数シンセサイザによって生成された前記第１のＬＯ信号が第４のミキサによって乗じられることに切り替えること
のうちの１つを行うことと
を行うように構成される、Ｃ１７に記載の装置。
［Ｃ２０］
第３のＬＮＡ及び第５のミキサを備える第３の受信経路と、
第５の周波数シンセサイザと
を更に備え、前記処理システムは、前記第３の受信経路を介した前記第３のＣＣの受信及び処理を制御することで前記第３のＣＣの受信を追加するように構成され、前記第３のＬＮＡは、前記第３のＣＣを増幅するように構成され、前記第５のミキサは、増幅された前記第３のＣＣに、第５のＬＯ経路を介して受信され、第３のＬＯ信号を作成するために出力周波数が第５の分周率で分周される前記第５の周波数シンセサイザによって生成された前記第３のＬＯ信号を乗じるように構成される、
Ｃ１９に記載の装置。
［Ｃ２１］
前記第５の周波数シンセサイザは、前記第１の周波数シンセサイザ、前記第２の周波数シンセサイザ、前記第３の周波数シンセサイザ又は前記第４の周波数シンセサイザである、Ｃ２０に記載の装置。
［Ｃ２２］
前記処理システムは、
前記キャリアアグリゲーション方式において第４のＣＣの受信を追加又は停止することと、前記第４のＣＣは、前記第１のＣＣ、前記第２のＣＣ及び前記第３のＣＣとは異なる周波数を有し、
前記第４のＣＣの前記追加又は停止された受信に基づいて、
前記第１の周波数シンセサイザ、前記第２の周波数シンセサイザ、前記第３の周波数シンセサイザ又は前記第４の周波数シンセサイザのうちの少なくとも１つを異なる出力周波数に再同調すること、
前記第１の分周率、前記第２の分周率、前記第３の分周率又は前記第４の分周率のうちの少なくとも１つを変えることと、
増幅された前記第１のＣＣを、前記第１のミキサによって乗じられることから前記第２のミキサ又は前記第４のミキサによって乗じられることに切り替えること、
増幅された前記第１のＣＣを、前記第２のミキサによって乗じられることから、前記第１のミキサ又は前記第４のミキサによって乗じられることに切り替えること、
増幅された前記第１のＣＣを、前記第４のミキサによって乗じられることから、前記第１のミキサ又は前記第２のミキサによって乗じられることに切り替えること又は
増幅された前記第１のＣＣを、前記第１のミキサ、前記第２のミキサ又は前記第４のミキサによって乗じられることから、第６のＬＯ経路を介して受信され、前記第１のＬＯ信号を作成するために出力周波数が第６の分周率で分周される第６の周波数シンセサイザによって生成された前記第１のＬＯ信号が第６のミキサによって乗じられることに切り替えること
のうちの少なくとも１つを行うことと
を行うように構成される、Ｃ２０に記載の装置。
［Ｃ２３］
第４のＬＮＡ及び第７のミキサを備える第４の受信経路と、
第７の周波数シンセサイザと
を更に備え、前記処理システムは、前記第４の受信経路を介した前記第４のＣＣの受信及び処理を制御することで前記第４のＣＣの受信を追加するように構成され、前記第４のＬＮＡは、前記第４のＣＣを増幅するように構成され、前記第７のミキサは、増幅された前記第４のＣＣに、第７のＬＯ経路を介して受信され、第４のＬＯ信号を作成するために出力周波数が第７の分周率で分周される前記第７の周波数シンセサイザによって生成された前記第４のＬＯ信号を乗じるように構成される、Ｃ２２に記載の装置。
［Ｃ２４］
前記第７の周波数シンセサイザは、前記第２の周波数シンセサイザであり、前記第７のミキサは、前記第２のミキサである、Ｃ２３に記載の装置。
［Ｃ２５］
前記第６の周波数シンセサイザは、前記第１の周波数シンセサイザ、前記第２の周波数シンセサイザ又は前記第３の周波数シンセサイザではない、Ｃ２２に記載の装置。
［Ｃ２６］
前記第２のＣＣは、前記第１のＣＣとは異なる発展型ＵＭＴＳ（ユニバーサルモバイルテレコミュニケーションシステム）地上無線アクセス（Ｅ−ＵＴＲＡ）周波数帯域である、Ｃ１４に記載の装置。
［Ｃ２７］
ワイヤレス通信のための非一時的なコンピュータ可読媒体であって、前記媒体は、命令を記憶しており、前記命令は、
第１の低ノイズ増幅器（ＬＮＡ）及び第１のミキサを備える第１の受信経路を介してキャリアアグリゲーション方式において第１のコンポーネントキャリア（ＣＣ）を受信及び処理することと、ここにおいて、前記第１のＬＮＡは、前記第１のＣＣを増幅するように構成され、前記第１のミキサは、増幅された前記第１のＣＣに、第１のＬＯ経路を介して受信され、第１の局部発振器（ＬＯ）信号を生成するために出力周波数が第１の分周率で分周される第１の周波数シンセサイザによって生成された前記第１のＬＯ信号を乗じるように構成され、
前記キャリアアグリゲーション方式において第２のＣＣの受信を追加又は停止することと、前記第２のＣＣは、前記第１のＣＣとは異なる周波数を有し、
前記第２のＣＣの前記追加又は停止された受信に基づいて、
前記第１の周波数シンセサイザを異なる出力周波数に再同調すること、
前記第１の分周率を変えること又は
増幅された前記第１のＣＣを、前記第１のミキサによって乗じられることから、第２のＬＯ経路を介して受信され、前記第１のＬＯ信号を作成するために出力周波数が第２の分周率で分周される第２の周波数シンセサイザによって生成された前記第１のＬＯ信号が第２のミキサによって乗じられることに切り替えること
のうちの少なくとも１つを行うことと
を行うように実行可能である、非一時的なコンピュータ可読媒体。
［Ｃ２８］
ワイヤレス通信のための装置であって、
第１の周波数を合成するための手段と、
第１の局部発振器（ＬＯ）信号を作成するために、前記第１の周波数を第１の分周率で分周するための手段と、
キャリアアグリゲーション方式において第１のコンポーネントキャリア（ＣＣ）を受信及び処理するための手段と、ここで、受信及び処理するための前記手段は、
前記第１のＣＣを増幅するための手段及び
増幅された前記第１のＣＣを、第１のＬＯ経路を介して受信された前記第１のＬＯ信号と混合するための第１の手段
を備える、
前記キャリアアグリゲーション方式において第２のＣＣの受信を追加又は停止するための手段と、前記第２のＣＣは、前記第１のＣＣとは異なる周波数を有し、
前記第２のＣＣの前記追加又は停止された受信に基づいて、
前記第１の周波数を合成するための前記手段を異なる出力周波数に再同調すること、
前記第１の分周率を変えること又は
増幅された前記第１のＣＣを、混合するための前記第１の手段によって混合されることから、第２のＬＯ経路を介して受信され、前記第１のＬＯ信号を作成するために第２の分周率で分周される第２の周波数を合成するための手段によって生成された前記第１のＬＯ信号と、混合するための第２の手段によって混合されることに切り替えること
のうちの少なくとも１つから選択するための手段と
を備える装置。
【図１】
0006490716.tif 000003
【図２】
0006490716.tif 000004
【図３】
0006490716.tif 000005
【図４】
0006490716.tif 000006
【図５Ａ】
0006490716.tif 000007
【図５Ｂ】
0006490716.tif 000008
【図６】
0006490716.tif 000009
【図７Ａ】
0006490716.tif 000010
【図７Ｂ】
0006490716.tif 000011
【図７Ｃ】
0006490716.tif 000012
【図７Ｄ】
0006490716.tif 000013
【図８】
0006490716.tif 000014
【図９Ａ】
0006490716.tif 000015
【図９Ｂ】
0006490716.tif 000016
【図１０】
0006490716.tif 000017